(57)【要約】【課題】  収納効率を高めることができながらも、内部で不測に移動することがなく、しかも通気性に優れた履物用吊下具及びそれら履物用吊下具を効率よく輸送することができる履物用吊下具の輸送用コンテナを提供する点にある。【解決手段】  内部に左右一組の履物１，１を爪先部分と踵部分とが上下方向に沿った上下姿勢で収納可能な収納空間を有し、かつ、通気性を有する袋本体３と、履物１，１が収納された前記袋本体３に吊り下げ用のフック４を備えさせたことを特徴とする靴用吊下具。【選択図】        図１
2006006892.tif 000002
【特許請求の範囲】
【請求項１】
内部に左右一組の履物を爪先部分と踵部分とが上下方向に沿った上下姿勢で収納可能な収納空間を有し、かつ、通気性を有する袋本体と、履物が収納された前記袋本体に吊り下げ用のフックを備えさせたことを特徴とする履物用吊下具。
【請求項２】
前記袋本体の両横側部のうちの少なくとも一方又は該袋本体の下端部に、内部に収納した履物を取り出すことができる開口を開閉自在にするための開閉手段を備えさせてなる請求項１記載の履物用吊下具。
【請求項３】
前記フックの下端に、前記袋本体内に入り込んで該袋本体の上端内面に接当して該袋本体を支持するためのほぼ水平方向に延びる支持部を備えさせてなる請求項１又は２記載の履物用吊下具。
【請求項４】
前記袋本体の特定箇所に内部を視認可能な透明部又は半透明部を備えさせてなる請求項１〜３のいずれかに記載の履物用吊下具。
【請求項５】
前記袋本体の外面に、収納された履物に関する情報が記載されたカードを差し込み可能なポケット部を備えさせてなる請求項１〜４のいずれかに記載の履物用吊下具。
【請求項６】
前記袋本体に履物を収納した状態において形成される隙間を埋めるための空気袋を該袋本体内に備えさせてなる請求項１〜５のいずれかに記載の履物用吊下具。
【請求項７】
下端に開口された開口部を通して内部に左右一組の履物を爪先部分と踵部分とが上下方向に沿った上下姿勢で収納可能で通気性を有する少なくとも４つの側面を覆う４枚の側部からなる袋本体と、この袋本体の開口部を閉じるために、該袋本体を構成する前側又は後側に位置する１枚の側部の下端から延出され、該後側又は前側に位置するもう１枚の側部まで回り込んで該後側又は前側に位置する側部に備えさせた被係止部に係止及び係止解除自在な係止部を備えた延出部と、前記袋本体の上端に備えさせた吊り下げ用のフックとから構成してなる履物用吊下具。
【請求項８】
左右一組の履物を爪先部分と踵部分とが上下方向に沿った上下姿勢で巻き付けるための可撓性を有する帯状部材と、この帯状部材にて前記履物を巻き付けた状態において少なくとも該帯状部材の巻き付け方向両端を重ね合わせた状態で連結固定するために、該帯状部材の特定箇所に備えさせた被係止部及び係止部と、前記帯状部材に備えさせた吊り下げ用のフックとから構成してなる履物用吊下具。
【請求項９】
左右一組の履物を爪先部分と踵部分とが上下方向に沿った上下姿勢で収納可能な収納空間を有する筒状の保形性を有する本体部と、該本体部の上端開口部を閉じる天部と、該本体部の下端開口部を閉じる底部と、前記天部に備えさせた吊り下げ用のフックとからなり、前記天部及び底部の少なくとも一方を前記本体部に対して着脱自在な蓋体に構成してなる履物用吊下具。
【請求項１０】
左右一組の履物を爪先部分と踵部分とが上下方向に沿った上下姿勢で、かつ、底面同士が接当する状態で該両履物に上下方向から覆い被せてその状態を保持させるための伸縮自在な材料でなるバンドを設けてなる請求項１〜９のいずれかに記載の履物用吊下具。
【請求項１１】
請求項１〜請求項９の履物用吊下具の複数を吊り下げ支持するための棒状体と、その棒状体を支持するための支持体と、支持体の下端に備えられた転動体とからなる履物用吊下袋の輸送用ハンガースタンド。
【請求項１２】
前記棒状体を前記支持体に対して上下方向に複数備えさせ、前記下側に位置する棒状体を前記支持体に対して高さ調節するための高さ調節手段を備えさせてなる請求項１１に記載の履物用吊下具の輸送用ハンガースタンド。
【発明の詳細な説明】
【技術分野】
【０００１】
本発明は、靴やサンダルあるいは下駄などの履物を吊り下げて保管する場合や輸送する場合に収納効率が高く、しかも最適な状態で収納しておくことができる履物用吊下具及び履物用吊下具の輸送用ハンガースタンドに関する。
【背景技術】
【０００２】
上記履物用吊下袋としては、例えばフックの下端に備えさせた一対の挟持部材にて、左右一対の靴をそれらの靴底が水平方向で並んだ（揃えた）状態の各靴の内面同士を挟み込んで保持させ、それら挟み込んだ靴を覆うカバーを備えさせて、ロープや鴨居などにフックを係止することにより靴を屋内の上部空間に保管するように構成した靴用ハンガーが提案されている（例えば、特許文献１参照）。
【特許文献１】特開平８−２２４１５６号公報
【発明の開示】
【発明が解決しようとする課題】
【０００３】
上記特許文献１の靴用ハンガーでは、フックから下方へ垂下させた左右一対の挟持部材にて左右一対の靴を揃えた状態で挟み込んで保持させる構成であるため、水平方向に大きなスペースを必要とし、収納効率が低いものであった。
又、一対の挟持部材を備えさせる関係上、靴を収納したカバー全体が大きなものになってしまい、更に収納効率が低いものになっていた。
又、靴以外のサンダルなどを挟持部材にて挟持することが困難な場合があるだけでなく、型くずれにつながることもあり、靴以外のものでは使用し難いものであった。
【０００４】
本発明が前述の状況に鑑み、解決しようとするところは、収納効率を高めることができながらも、靴以外の履物でも型くずれすることがなく、容易に収納することができる履物用吊下具及びそれら履物用吊下具を効率よく輸送することができる履物用吊下具の輸送用ハンガースタンドを提供する点にある。
【課題を解決するための手段】
【０００５】
本発明は、前述の課題解決のために、内部に左右一組の履物を爪先部分と踵部分とが上下方向に沿った上下姿勢で収納可能な収納空間を有し、かつ、通気性を有する袋本体と、履物が収納された前記袋本体に吊り下げ用のフックを備えさせて、履物用吊下具を構成した。
袋本体を左右一組の履物を爪先部分と踵部分とが上下方向に沿った上下姿勢で収納可能な収納空間を有するものから構成することによって、袋本体の水平方向の幅を２つの履物の左右幅とほぼ同等の大きさに抑えることができるだけでなく、袋本体にて履物の水平方向の動きを規制することができる。しかも、袋本体が通気性を有するものから構成していることから、袋本体内に湿気が残ることを回避することができる。
【０００６】
前記袋本体の両横側部のうちの少なくとも一方又は該袋本体の下端部に、内部に収納した履物を取り出すことができる開口を開閉自在にするための開閉手段を備えさせてもよい。
【０００７】
前記フックの下端に、前記袋本体内に入り込んで該袋本体の上端内面に接当して該袋本体を支持するためのほぼ水平方向に延びる支持部を備えさせてもよい。
【０００８】
前記袋本体の特定箇所に内部を視認可能な透明部又は半透明部を備えさせてもよい。
【０００９】
前記袋本体の外面に、収納された履物に関する情報が記載されたカードを差し込み可能なポケット部を備えさせてもよい。
【００１０】
前記袋本体に履物を収納した状態において形成される隙間を埋めるための空気袋を該袋本体内に備えさせてもよい。
【００１１】
下端に開口された開口部を通して内部に左右一組の履物を爪先部分と踵部分とが上下方向に沿った上下姿勢で収納可能で通気性を有する少なくとも４つの側面を覆う４枚の側部からなる袋本体と、この袋本体の開口部を閉じるために、該袋本体を構成する前側又は後側に位置する１枚の側部の下端から延出され、該後側又は前側に位置するもう１枚の側部まで回り込んで該後側又は前側に位置する側部に備えさせた被係止部に係止及び係止解除自在な係止部を備えた延出部と、前記袋本体の上端に備えさせた吊り下げ用のフックとから、履物用吊下具を構成してもよい。
【００１２】
左右一組の履物を爪先部分と踵部分とが上下方向に沿った上下姿勢で巻き付けるための可撓性を有する帯状部材と、この帯状部材にて前記履物を巻き付けた状態において該帯状部材の巻き付け方向両端を重ね合わせた状態で連結固定するために、該帯状部材の特定箇所に備えさせた被係止部及び係止部と、前記帯状部材に備えさせた吊り下げ用のフックとから、履物用吊下具を構成してもよい。
【００１３】
左右一組の履物を爪先部分と踵部分とが上下方向に沿った上下姿勢で収納可能な収納空間を有する筒状の保形性を有する本体部と、該本体部の上端開口部を閉じる天部と、該本体部の下端開口部を閉じる底部と、前記天部に備えさせた吊り下げ用のフックとからなり、前記天部及び底部の少なくとも一方を前記本体部に対して着脱自在な蓋体に構成して、履物用吊下具を構成してもよい。
【００１４】
左右一組の履物を爪先部分と踵部分とが上下方向に沿った上下姿勢で、かつ、底面同士が接当する状態で該両履物に上下方向から覆い被せてその状態を保持させるための伸縮自在な材料でなるバンドを設けてもよい。
【００１５】
請求項１〜請求項９の履物用吊下具の複数を吊り下げ支持するための棒状体と、その棒状体を支持するための支持体と、支持体の下端に備えられた転動体とから、履物用吊下袋の輸送用ハンガースタンドを構成してもよい。
【００１６】
前記棒状体を前記支持体に対して上下方向に複数備えさせ、前記下側に位置する棒状体を前記支持体に対して高さ調節するための高さ調節手段を備えさせてもよい。
【発明の効果】
【００１７】
袋本体を左右一組の履物を爪先部分と踵部分とが上下方向に沿った上下姿勢で収納可能な収納空間を有するものから構成することによって、袋本体の水平方向の幅を２つの履物の左右幅とほぼ同等の大きさに抑えることができ、収納効率を高めることができるだけでなく、袋本体にて履物の水平方向の動きを規制することで、特別な位置決め部材などが不要になり、構成が簡素になる。しかも、袋本体が通気性を有するものから構成していることから、袋本体内に湿気が残ることを回避して、品質変化のない状態で長期間保管を行うことができる。又、袋本体に履物を収納するだけで済むから、一対の挟持部材にて履物を挟持する場合に比べて収納作業を容易迅速に行うことができる。
又、下端に開口された開口部を通して内部に左右一組の履物を爪先部分と踵部分とが上下方向に沿った上下姿勢で収納可能で通気性を有する少なくとも４つの側面を覆う４枚の側部からなる袋本体と、この袋本体の開口部を閉じるために、該袋本体を構成する前側又は後側に位置する１枚の側部の下端から延出され、該後側又は前側に位置するもう１枚の側部まで回り込んで該後側又は前側に位置する側部に備えさせた被係止部に係止及び係止解除自在な係止部を備えた延出部と、前記袋本体の上端に備えさせた吊り下げ用のフックとから、履物用吊下具を構成してもよい。この場合も、前述同様に、袋本体の水平方向の幅を２つの履物の左右幅とほぼ同等の大きさに抑えることができ、収納効率を高めることができるだけでなく、４枚の側部にて袋本体に収納された履物が不測に移動することを阻止することができるだけでなく、袋本体内に湿気が残ることを回避して、品質変化のない状態で長期間保管を行うことができる。
又、左右一組の履物を爪先部分と踵部分とが上下方向に沿った上下姿勢で巻き付けるための可撓性を有する帯状部材と、帯状部材にて履物を巻き付けた状態において帯状部材の巻き付け方向両端を重ね合わせた状態で連結固定するために、帯状部材の特定箇所に備えさせた被係止部及び係止部と、帯状部材に備えさせた吊り下げ用のフックとから、履物用吊下具を構成してもよい。この場合も、前述同様に、袋本体の水平方向の幅を２つの履物の左右幅とほぼ同等の大きさに抑えることができ、収納効率を高めることができるだけでなく、履物を巻き付けるだけの帯状部材にて構成することで袋状に構成した場合に比べて、コスト面において有利になるとともに、履物の大きさや形状に係わらず確実に固定して吊り下げることが可能になる。
又、左右一組の履物を爪先部分と踵部分とが上下方向に沿った上下姿勢で収納可能な収納空間を有する筒状の保形性を有する本体部と、本体部の上端開口部を閉じる天部と、本体部の下端開口部を閉じる底部と、天部に備えさせた吊り下げ用のフックとからなり、天部及び底部の少なくとも一方を本体部に対して着脱自在な蓋体に構成して、履物用吊下具を構成してもよい。この場合も、前述同様に、袋本体の水平方向の幅を２つの履物の左右幅とほぼ同等の大きさに抑えることができ、収納効率を高めることができるだけでなく、本体部にて収納された履物が不測に移動することを阻止することができるとともに、天部及び底部のうちの一方を取り外すだけで、本体部内に履物を迅速に収納することができる。
【００１８】
袋本体の両横側部のうちの少なくとも一方又は袋本体の下端部に、内部に収納した履物を取り出すことができる開口を開閉自在にするための開閉手段を備えさせることによって、履物の出し入れが何度も行え、履物用吊下袋本体を繰り返し利用することができる。
【００１９】
フックの下端に、袋本体内に入り込んで袋本体の上端内面に接当して袋本体を支持するためのほぼ水平方向に延びる支持部を備えさせることによって、袋本体の上端部の補強を支持部にて行うことができるだけでなく、袋本体内に靴を入れるときに、袋本体自体の保形をも持たせて履物の挿入をスムーズかつ迅速に行うことができる。
【００２０】
袋本体の特定箇所に内部を視認可能な透明部又は半透明部を備えさせることによって、袋本体内に収納されている履物についての情報（色、サイズ、形状など）を直ちに把握することができる。
【００２１】
袋本体の外面に、収納された履物に関する情報が記載されたカードを差し込み可能なポケット部を備えさせることによって、その差し込まれたカードをポケット部から抜き取って見るだけで履物の情報（色、サイズ、形状など）を直ちに把握することができる。
【００２２】
袋本体に履物を収納した状態において形成される隙間を埋めるための空気袋を袋本体内に備えさせることによって、袋本体内に収納された履物が内部で不測に移動することを確実に阻止することができる。
【００２３】
左右一組の履物を爪先部分と踵部分とが上下方向に沿った上下姿勢で、かつ、底面同士が接当する状態で該両履物に上下方向から覆い被せてその状態を保持させるための伸縮自在な材料でなるバンドを設けることによって、両履物を一体化した状態を保持することができるので、２つの履物をそれぞれ履物用吊下具へ収納する場合に比べて、収納作業を迅速に行うことができる。
【００２４】
履物用吊下袋の複数を吊り下げ支持するための棒状体と、その棒状体を支持するための支持体と、支持体の下端に備えられた転動体とからなる履物用吊下袋の輸送用ハンガースタンドを用いることによって、履物用吊下袋の多数を効率よく輸送することができるだけでなく、輸送した後、輸送用ハンガースタンドにて展示や保管が行える利点がある。
【発明を実施するための最良の形態】
【００２５】
図１及び図２に、左右一組の靴１，１を収納して図３に示している輸送用ハンガースタンドＳに吊り下げることができる履物用吊下具の一例である履物用吊下袋２を示している。この履物用吊下袋２は、正面視（図１から見た場合）においてほぼ長方形状となり、通気性を有する不織布でなる袋本体３と、靴１，１が収納された袋本体３に備えさせた吊り下げ用のフック４と、袋本体３内に靴１，１を収納した状態において形成される隙間を埋めるための２つの空気袋５，５とを備えている。前記袋本体３の形状を、ほぼ長方形状に構成する他、正方形状に構成してもよいし、楕円形状に構成してもよく、袋本体３の形状は自由に変更できる。ここでは、靴を収納する場合を示しているが、サンダルや下駄などの他のものであってもよく、それらを履物と称する。
【００２６】
前記履物用吊下袋２は、前述したように通気性を有する不織布から構成することによって、袋本体内に湿気が残ることを回避することができる。そして、前記履物用吊下袋２を合成樹脂を用いてメッシュ状の網体に構成したり、多数の貫通孔を有する袋状体に構成する、あるいは紙でなる袋状部材に通気孔を備えさせたものから構成してもよく、履物用吊下袋２としての材料及び具体的構成は自由に構成することができる。又、前記履物用吊下袋２の両横側部のうちの一方に開口３Ｋを形成し、その開口３Ｋを開閉自在にするための開閉手段としてのファスナー６を備えているが、両横側部に備えさせてもよいし、下側部に備えさせてもよいし、場合によっては、２箇所以上に備えさせて実施してもよい。前記ファスナー６は、開口３Ｋ縁に取り付けられた多数の務歯６Ａと、これら務歯６Ａを噛み合わせることにより開口３Ｋを閉じたり、噛み合わせを解除することにより開口３Ｋを開放状態とするためのスライダー６Ｂとからなっているが、図４に示すように、雄雌の面ファスナー６Ａ，６Ｂから開閉手段６を構成してもよいし、手間がかかるが、紐やベルトなどから構成することもできる。
又、前記履物用吊下袋２の内部空間の大きさ、つまり前記開口３Ｋから入れる場合の左右幅（図１においては紙面を貫通する前後方向の幅となる）の大きさを靴１の左右幅と同じ又は少し大きな寸法に構成されており、各々の靴１を順次入れて収納した状態において靴１，１が履物用吊下袋２内で図１においては紙面を貫通する前後方向に不測に移動することがないようにしている。図１において靴１，１を互いの底面が対向位置する状態で履物用吊下袋２内に挿入しているが、底面が互いに反対方向を向いた状態で収納してもよいし、又、靴１の左右幅方向が履物用吊下袋２の前後方向と同一となる状態で靴１を履物用吊下袋２に収納したが、靴１の左右幅方向が履物用吊下袋２の前後方向と直交するように（図１において靴１，１が９０度方向転換した状態に）収納してもよい。この場合、靴１の高さ寸法に図１においては紙面を貫通する前後方向の幅が同一又はそれよりも少し大きくなるように設定することになる。又、前記履物用吊下袋２の高さ寸法（上下寸法）は、靴１の長さよりも少し大きく設定することが好ましい。又、前記履物用吊下袋２の奥行き寸法（図１において左右幅寸法）は、図１に示すように、一組の靴１，１を入れた状態で図１において左右両端に少し隙間が発生する程度が好ましい。それら左右の隙間に前記２つの空気袋５，５をそれぞれ入れて隙間を埋めている。
【００２７】
又、前記履物用吊下袋２のファスナー６が備えられている側とは反対側の横側部に内部を視認可能な透明部（内部を視認可能であれば半透明でもよい）７を備えさせてあり、内部の靴の色やサイズなどを外部から直ちに把握することができるようになっているが、透明部７は必ずしも必要ではない。又、前記透明部７を設ける位置はどこでもよく、図に示される位置に限定されるものではない。
又、前記履物用吊下袋２の正面視において下側で左右ほぼ中央に位置する箇所に、収納された靴に関する情報が記載されたカード８を差し込み可能な上方が開放されたポケット部９を備えさせることによって、その差し込まれたカード８をポケット部９から抜き取って見るだけで靴の情報（色、サイズ、形状など）を直ちに把握することができる利点がある。前記ポケット部９を透明材料から構成することによって、ポケット部９に入っているカード８を抜き取ることなく、カード８の情報を把握することができる。尚、ポケット部９を省略して実施することもできる。
【００２８】
前記フック４の下端に、前記袋本体３内に入り込んで該袋本体３の上端内面に接当して該袋本体３を支持するためのほぼ水平方向に延びる（袋本体３の左右幅寸法とほぼ同一の長さを有する）支持部４Ａを備えさせている。又、フック４と支持部４Ａとの間に袋本体３の開口３Ａから上方に突出する状態で備えさせた半円状の板状部４Ｂを備えさせてあり、この板状部４Ｂの表裏両面のうちの少なくとも一方の面に靴の情報を記載したシールを貼り付けることによって、前記ポケット部９を省略してもよい。尚、前記袋本体３の開口３Ａの大きさは、板状部４Ｂよりも外形寸法の大きなフック４が袋本体３の内部から外部へ挿通可能な大きさに設定することになる。
【００２９】
前記履物用吊下袋２を輸送（搬送）する場合には、図３に示す輸送用ハンガースタンドＳに吊り下げて輸送したり、図５に示す輸送用ボックスＢを用いて輸送してもよい。図３に示す輸送用ハンガースタンドＳは、左右一対の上下姿勢（縦向き）の伸縮自在な支持体としての縦パイプ１０，１０と、この縦パイプ１０，１０の下端同士を左右方向で連結する連結パイプ１１と、縦パイプ１０，１０の下端に固定された前後方向の前後パイプ１２，１２と、それら前後パイプ１２，１２それぞれの前後端下面に取り付けた転動体としてのキャスター１３，１３と、前記縦パイプ１０，１０の上端同士を連結するとともに前記履物用吊下袋２の多数を係止して吊り下げるための棒状体としての横パイプ１４とから構成しているが、横パイプを２段（図７に示している）以上設けて実施してもよい。図５に示す輸送用ボックスＢは、上端が開放された紙製又は合成樹脂製などからなるボックス本体１５内に前記履物用吊下袋２の多数を係止して吊り下げるための棒状体としての横パイプ１６を掛け渡すとともに、前記ボックス本体１５を上方から閉じるための紙製又は合成樹脂製などからなる蓋１７を設けてなっている。
【００３０】
図７に別の輸送用ハンガースタンドＳが示されており、これは上下２段の横パイプ（棒状体）１４，２０に履物用吊下袋２を吊り下げることができるようになっている。又、支持体を構成する各縦パイプ１０は、前後パイプ１２の上端に固定された下側パイプ部１０Ｂと、この下側パイプ部１０Ｂにスライド自在に内嵌された上側パイプ部１０Ａとからなり、縦パイプ１０の上端の高さ位置を調節することができるようになっている。尚、図７に示す１０Ｃが上側パイプ部１０Ａを下側パイプ部１０Ｂに対して固定及び固定解除するためのネジ式の回転ハンドルである。又、上側パイプ部１０Ａの内側面には横パイプ２０を係止保持するための多数（図では６個であるが、２個以上であれば何個であってもよい）の係止孔１０Ｋを形成しており、任意の係止孔１０Ｋに横パイプ２０の端部を係止保持させるだけで横パイプ（棒状体）２０を上側パイプ部１０Ａに対して高さ位置を調節することができる高さ調節手段を構成している。又、前記横パイプ１４，２０及び連結パイプ１１は、一方の縦パイプ１０に一端が固定された第１パイプ部１０Ａと、この第１パイプ１０Ａにスライド自在に内嵌された第２パイプ１０Ｂとからなり、輸送用ハンガースタンドＳの左右幅寸法を調節することができるようになっている。尚、図７に示す１１Ｃ又は１４Ｃ又は２０Ｃが、第２パイプ１１Ａ又は１４Ａ又は２０Ａを第１パイプ１１Ｂ又は１４Ｂ又は２０Ｂに対して固定及び固定解除するためのネジである。
又、図８では、図７で示した輸送用ハンガースタンドＳを前後方向に補助連結パイプ２１Ａ，２１Ｂにて連結して合計４本の横パイプ（棒状体）１４，１４，２０，２０に履物用吊下袋２を吊り下げることができるようになっている。図７の連結パイプ１１では強度不足であるため、角筒状の固定側のパイプ１１Ａとこのパイプ１１Ａにスライド移動自在に内嵌される角筒状のパイプ１１Ｂとからなっている。他の構成は、図７と同様である。
【００３１】
図６には、履物箱１８の左右壁間に掛け渡されて前記履物用吊下袋２の多数を係止して吊り下げるための棒状体としての横パイプ１９の３本（２本又は４本以上でもよい）を設けたものを示している。
【００３２】
前記履物用吊下袋２を、図９〜図１８に示すように構成してもよい。尚、同一の部材には同一の符号を付し、繰り返し説明を行わないものとする。図１７を除いた図９〜図１８の履物用吊下袋２に、前記２つの空気袋５，５を備えさせて実施する方が履物用吊下袋２内で靴１，１が不測に移動することを抑制することができるが、無くてもよい。又、図中に靴１，１を表示していない図面がほとんどであるが、爪先部分と踵部分とが上下方向に沿った上下姿勢で履物用吊下袋２内に収納することになる。
図９の履物用吊下袋２は、袋本体３の前面の左右方向ほぼ中央に上下方向に形成された靴１，１出し入れ用の開口３Ｋを閉じるためのファスナー６を備え、袋本体３の横側部（一方又は両方でもよい）に前記透明部７及びポケット部９を上下に備えさせている。又、前記袋本体３の上端部を二重にして筒状部３Ｂを構成し、その筒状部３Ｂにフック４の下端に一体形成された棒状の支持部４Ａを差し込んでいる。前記フック４の下端にアーチ（門）型の枠部４Ｄの一端からそれの他端まで延びる前記支持部４Ａを設け、その支持部４Ａの他端を係止保持可能なほぼＬ型の係止部４Ｃを前記枠部４Ｄの他端に備えさせて、前記筒状部３Ｂに支持部４Ａを差し込んでから、支持部４Ａの先端を係止部４Ｃに上方から係止保持させることによって、支持部４Ａを枠部４Ｄに固定し、前記係止を解除することによって、支持部４Ａを枠部４Ｄから離脱させることができるようにしている。このようにフック４の支持部４Ａが袋本体３内に収納された靴１，１に接触することがなく、輸送中などに靴１，１に支持部４Ａが接当して傷付けることがない。しかも、フック４付きの支持部４Ａを袋本体３から迅速に取り外して他のフック４付き支持部４Ａに取り替えたり、袋本体３だけで使用することが可能になる。図９に示す２２は、フック４に被せた平面視ほぼＣ字状のリング体であり、外周面に内装される靴１，１の情報を印刷又は印刷したシールを貼っておくこともできる。
【００３３】
図１０では、袋本体３の前面に前記透明部７及びポケット部９を上下に備えさせ、袋本体３の側面の左右方向ほぼ中央に上下方向に形成された靴１，１出し入れ用の開口３Ｋを閉じるためのファスナー６を備えさせている。又、フック４の下端に備えさせた台形状の板状部（内装される靴１，１の情報を印刷又は印刷したシールを貼っておくためのもの）４Ｂの下端に可撓性を有するベルト２３を備えさせ、そのベルト２３の先端を袋本体３の上端に形成の貫通孔３Ｚに挿通してから、ホック２４によりベルト２３の基端部に固定してフック４を袋本体３に備えさせるようにしている。又、図１０に示すように、フック４の下端に側面視においてしの字状の引っ掛け部２５を備えさせて、その引っ掛け部２５をそれの先端から貫通孔３Ｚに挿通させることによりフック４を袋本体３に備えさせてもよい。前記引っ掛け部２５の横側部の上端に内装される靴１，１の情報を印刷又は印刷したシールを貼ることのできる板部２６を係脱自在な係止溝２５Ａを形成している。
【００３４】
図１１では、上方が開放された袋本体３の上方開口部３Ｋを覆うための蓋体２７を、ホック２８，２８を介して袋本体３の前面に固定及び固定解除自在に備えさせ、前記蓋体２７が挿通可能な開口４Ｓを備える長方形状の枠部４Ｅを前記フック４の下端に備えさせている。蓋体２７を開け閉めすることによって、靴１，１の出し入れが行え、横側部の隙間から袋本体３の内部に収納した靴１，１を見ることができるようになっている。
【００３５】
図１２では、前記ファスナー６を袋本体３の前面の右側（左側でもよい）に上下姿勢で設け、前記袋本体３の上端を二つ折りにし、その二つ折り部分３Ｃに前後方向両側から挟み込む逆Ｕ字状の補強部材２９を備えさせ、前記二つ折り部分３Ｃ及び補強部材２９に左右方向３つの貫通孔３０を形成し、フック４の下端にｍ字形状の支持部４ｂの３つの下端からそれぞれ、前方に延出して上方へ延出される側面視においてほぼＬ字状の爪部４ａを備えさせている。従って、３つの爪部４ａを３つの貫通孔３０に挿通させることにより、フック４を袋本体３に備えさせることができるようにしている。
【００３６】
図１３では、袋本体３の前面に透明部７を備えさせ、袋本体３の横側部にファスナー６を備えさせ、袋本体３の前側の左右両端及び後側の左右両端のそれぞれからベルト３Ｃ，３Ｃを延出して袋本体３の上方に位置するように両者を重ね合わせて縫着することにより一体化して取っ手部３２を構成している。従って、取っ手部３２を持って袋本体３を持ち運びすることができると共に、Ｓ字状のフック４の下端フック部をその取っ手部３２に引っ掛けて袋本体３を吊り下げることができるようになっている。図１３に示す３１は、フック４に外嵌させてフック４に保持させることができる断面形状ほぼＣ字状のリング体であり、外周面に内装される靴１，１の情報を印刷又は印刷したシールを貼っておくこともできる。
【００３７】
図１４では、図９と同様に、前記袋本体３の上端部を二重にして筒状部３Ｂを構成している。そして、前記筒状部３Ｂに、両端に円形（角形でもよい）の貫通孔３３Ａを備えた支持部材３３を一端から挿通させて備えさせ、フック４の下端に備えさせた門型の枠部４Ｄの左右両端に前記支持部材３３の左右一対の貫通孔３３Ａ，３３Ａに係止保持可能な係止突起４Ｆ，４Ｆを備えさせている。
【００３８】
図１５では、袋本体３の横側部にほぼ全域に渡る透明部７を備えさせ、袋本体３の後側部の上端から延出されて上方開口部を閉じると共に前面に備えさせた面ファスナー３４，３４を介して固定及び固定解除自在な蓋体２７を備えさせ、この蓋体２７の上端に備えさせた二つ折り部分３Ｃに左右一対の貫通孔３ａ，３ａを備えさせ、前記フック４の下端に前記二つ折り部分３Ｃを前後方向から挟み込む挟持部３５の前記貫通孔３ａ，３ａに挿通状態となる位置に貫通孔３５Ａ，３５Ａを備えさせ、前記挟持部３５を二つ折り部分３Ｃに挟持させた状態で貫通孔３ａ，３５Ａに挿通して両者３５，３Ｃを一体化するための留め具３６及び挿通した留め具３６の先端に嵌めることで抜け止め処理を行うリング部材３７を備えさせている。図１５に示す３Ｄ，３Ｅは、左右の側部の上端に備えさせた上端開口部を閉じるための蓋部であるが、無くてもよい。
【００３９】
図１６では、袋本体３の下端に靴１，１の出し入れを行うための開口を備えさせ、その開口を閉じるために、袋本体３の後側部の下端から前側部の上下方向ほぼ中央部まで延出した延出部としての蓋体２７を備え、その蓋体２７の先端側の裏面（袋本体３の前側部前面側）に袋本体３の前側部の前面に備えさせた面ファスナー３８Ａ，３８Ａに係止及び係止解除自在な面ファスナー３８Ｂ，３８Ｂを備えさせている。ここでは、面ファスナーを係止部及び被係止部としているが、ホックなどであってもよい。又、袋本体３の前側部の上半分を透明部７から構成しているが、横側部に透明部７を備えさせて実施してもよい。又、フック４の支持部４Ａは、袋本体３の後側部の上端と透明部７の上端との間に挟み込んだ状態で左右一対の補強部材３９，３９を上方から被せて固定されているが、補強部材３９，３９を省略してもよい。ここでは、袋本体３の後側部の下端から前側部まで延出するようにしたが、袋本体３の前側部の下端から後側部まで延出するようにしてもよい。
【００４０】
図１７では、袋本体３が、靴１，１を爪先部分から踵部分とが上下方向に沿った上下姿勢で巻き付けるための可撓性を有する布又は不織布あるいは軟質性合成樹脂などからなる帯状部材３Ｈと、帯状部材３Ｈにて履物を巻き付けた状態において帯状部材３Ｈの巻き付け方向両端を重ね合わせた状態で連結固定するために、帯状部材３Ｈの特定箇所に備えさせた被係止部としての面ファスナー４０Ａ及び係止部としての面ファスナー４０Ｃとを備えている。帯状部材３Ｈの左右幅方向両端のそれぞれにも面ファスナー４０Ｂ（図では合計４つであるが、２つ以上であれば、何個でもよい）を備えさせて、帯状部材３Ｈにて巻き付けられた靴１，１が帯状部材３Ｈの左右方向から落下することがないようにしているが、無くてもよい。このように帯状部材３Ｈにて靴１，１を巻き付ける構成にすることによって、靴１，１の大きさや形状に係わらず靴１，１を帯状部材３Ｈにて確実に保持することができる。前記一方の面ファスナー４０Ａに対して他方の面ファスナー４０Ｂを大きなものから構成しているのは、靴１，１の大きさに対応してどの位置でも面ファスナー４０Ａ，４０Ｂを係止することができるようにするためである。
【００４１】
図１８では、箱形に構成したものであり、ある程度の保形性を有する材料から構成することが好ましい。つまり、左右一組の靴１，１を爪先部分と踵部分とが上下方向に沿った上下姿勢で収納可能な収納空間を有する筒状の保形性を有する本体部３と、本体部３の上端開口部を閉じる天部４１と、本体部３の下端開口部を閉じる底部４２と、天部４１に備えさせた吊り下げ用のフック４とからなり、天部４１及び底部４２の少なくとも一方（ここでは両方）を本体部３に対して着脱自在な蓋体に構成している。天部４１及び底部４２は同一であるため、底部４２のみ説明すれば、本体部３の下端の特定箇所（図では２箇所）に、上方に立ち上がってから水平方向へ移動して下方側へ移動する溝部３Ｍを形成し、その溝部３Ｍ，３Ｍに沿って移動可能なピン体４５，４５を底部４２の周壁部の内面に供えさせている。従って、本体部３に靴１，１を収納してから取っ手４４を持って底部４２を本体部３に対して上方へ移動させることにより、ピン体４５，４５を溝部３Ｍ，３Ｍに係止させてから底部４２を回転させてから取っ手４４から手を離すことによって、底部４２を本体部３に係止保持させることができるようになっている。図１８に示す４３は、靴１，１を底面同士が接当する状態で固定するためのバンド４３であるが、無くてもよい。
【００４２】
図１８で示したバンド４３を、図１９（ａ），（ｂ）に示すように構成してもよい。つまり、上下方向において同一径を有する円筒状のウレタンなどでなる伸縮自在な材料でなる部材４６の左右方向両側に切欠き４６Ａ，４６Ｂを形成して、靴１，１の底面同士が接当し、かつ、踵が互いに上下方向で反対に位置する状態で両靴１，１に上方又は下方から覆い被せてその状態を保持させるためのバンドを構成している。
【図面の簡単な説明】
【００４３】
【図１】第１の履物用吊下具の正面図である。
【図２】履物用吊下具の斜視図である。
【図３】履物用吊下具が吊り下げられた輸送用ハンガースタンドの斜視図である。
【図４】第２の履物用吊下具の斜視図である。
【図５】第１の履物用吊下具が吊り下げられた輸送用ボックスの分解斜視図である。
【図６】靴箱の斜視図である。
【図７】第１の履物用吊下具が吊り下げられた別の輸送用ハンガースタンドの斜視図である。
【図８】第１の履物用吊下具が吊り下げられた別の輸送用ハンガースタンドの斜視図である。
【図９】第３の履物用吊下具の斜視図である。
【図１０】第４の履物用吊下具の斜視図である。
【図１１】第５の履物用吊下具の斜視図である。
【図１２】第６の履物用吊下具の斜視図である。
【図１３】第７の履物用吊下具の斜視図である。
【図１４】第８の履物用吊下具の斜視図である。
【図１５】第９の履物用吊下具の斜視図である。
【図１６】第１０の履物用吊下具の斜視図である。
【図１７】第１１の履物用吊下具の斜視図である。
【図１８】第１２の履物用吊下具の斜視図である。
【図１９】靴を一体化するためのバンドを示し、（ａ）は靴にバンドを被せた状態を示す斜視図、（ｂ）はバンドの斜視図である。
【符号の説明】
【００４４】
１  靴
２  履物用吊下袋
３  袋本体（本体部）
３Ｋ  開口（上方開口部）
３Ｍ  溝部
３Ｚ  貫通孔
３Ｈ  帯状部材
３Ａ  開口
３Ｂ   筒状部
３Ｃ   部分（ベルト）
３ａ  貫通孔
４  フック
４Ａ  支持部
４Ｂ  板状部
４Ｅ  枠部
４Ｓ   開口
４Ｃ   係止部
４ｂ   支持部
４ａ   爪部
４Ｄ   枠部
４Ｆ   係止突起
５  空気袋
６Ｂ  スライダー
６  ファスナー（開閉手段）
６Ａ  務歯
６Ａ，６Ｂ  面ファスナー
７  透明部
８  カード
９  ポケット部
１０Ａ パイプ
１０Ｂ パイプ
１０  縦パイプ
１０Ｋ 係止孔（高さ調節手段）
１１  連結パイプ
１２  前後パイプ
１３  キャスター
１４  横パイプ
１５  ボックス本体
１６  横パイプ
１７  蓋
１８  靴箱
１９  横パイプ
２０   横パイプ
２３   ベルト
２４   ホック
２５Ａ 係止溝
２５   引っ掛け部
２６   板部
２７   蓋体
２９   補強部材
３０   貫通孔
３２   取っ手部
３３Ａ 貫通孔
３３   支持部材
３４   面ファスナー
３５Ａ，３５Ａ       貫通孔
３５   挟持部
３６   留め具
３７   リング部材
３８Ａ 面ファスナー
３８Ｂ 面ファスナー
３９   補強部材
４０Ａ，４０Ｂ，４０Ｃ  面ファスナー
４１   天部
４２   底部
４３   バンド
４４   取っ手
４６   部材（バンド）
４５  ピン体
Ｂ     輸送用ボックス
Ｓ     輸送用ハンガースタンド
【図１】
2006006892.tif 000003
【図２】
2006006892.tif 000004
【図３】
2006006892.tif 000005
【図４】
2006006892.tif 000006
【図５】
2006006892.tif 000007
【図６】
2006006892.tif 000008
【図７】
2006006892.tif 000009
【図８】
2006006892.tif 000010
【図９】
2006006892.tif 000011
【図１０】
2006006892.tif 000012
【図１１】
2006006892.tif 000013
【図１２】
2006006892.tif 000014
【図１３】
2006006892.tif 000015
【図１４】
2006006892.tif 000016
【図１５】
2006006892.tif 000017
【図１６】
2006006892.tif 000018
【図１７】
2006006892.tif 000019
【図１８】
2006006892.tif 000020
【図１９】
2006006892.tif 000021